(57)【要約】      （修正有）【課題】壁に予めモルタルを塗り、そのモルタルが柔らかい間に、簡便にして、容易に種々の模様を付すことができるコンクリート壁の化粧装置を提供する。【解決手段】壁１０を横行可能な枠体２を備えていて、前記枠体２に昇降可能な基台１５が設けてあり、その基台１５に、模様体４２を備える押印具４０を前後動可能に装着してある。また、前記基台１５を昇降するワイヤ１１に、１区画ごとの目印を付す。【選択図】図１
2009068211.tif 000002
【特許請求の範囲】
【請求項１】
壁を横行可能な枠体を備える化粧装置であって、
前記枠体に昇降可能な基台を設け、
前記基台に、模様体を備える押印具を前後動可能に装着することを特徴とするコンクリート壁の化粧装置。
【請求項２】
前記基台を昇降するワイヤに、１区画毎の目印を付することを特徴とする請求項１のコンクリート壁の化粧装置。
【請求項３】
壁の天頂に、枠体を支持する支持具を取り付けることを特徴とする請求項１又は請求項２のコンクリート壁の化粧装置。
【発明の詳細な説明】
【技術分野】
【０００１】
本発明は、コンクリート壁に種々の模様を付して化粧するコンクリート壁の化粧装置に関する。
【背景技術】
【０００２】
コンクリート壁（門柱を含む）には、種々の模様を付して美観の向上を図っている。そして、このコンクリート壁を現地で製作する発明として、特開平８−１１９７６９号公報がある。
この公報には、転写シート基材、剥離層及び印刷模様層を積層して型枠に載置し、前記型枠内にポリマーセメントを流し、固形した後に、型枠を取り除いて化粧ポリマーセメントモルタル板を得る。そして、この化粧ポリマーセメントモルタル板を壁等に用いる。
【特許文献１】特開平８−１１９７６９号公報
【発明の開示】
【発明が解決しようとする課題】
【０００３】
前記の製法は、現地において化粧ポリマーセメントモルタル板を得ることができる。しかし、現地において、型枠が必要であると共に、モルタルが固化するまで時間を要する。
そこで、本願発明は、簡便にして、容易に、壁等に種々の模様を附すことができるコンクリート壁の化粧装置を提供するものである。
【課題を解決するための手段】
【０００４】
請求項１のコンクリート壁の化粧装置は、壁を横行可能な枠体を備えていて、前記枠体に昇降可能な基台が設けてある。そして、この化粧装置は、基台に、模様体を備える押印具を前後動可能に装着してある。
枠体は壁に沿って横行可能であり、基台は昇降可能であるので、壁の所定位置にセットした後に、押印具を壁のモルタルに向かって押圧すると、模様体によってモルタルに模様が形成される。
【０００５】
又、請求項２のコンクリート壁の化粧装置は、基台を昇降するワイヤに、１区画の目印を付してあるので、１区画の模様を形成した後に、前記目印で次に模様を形成する箇所に、押印枠体を移動させることができる。
又、請求項３のコンクリート壁の化粧装置は、壁の天頂に、枠体を支持する支持具が取り付けてあるので、上車輪が浮いた状態であっても、上車輪に替えて、支持具で支持され、壁の端部で模様を形成することができる。
【発明の効果】
【０００６】
請求項１のコンクリート壁の化粧装置は、簡便に、壁の所定位置に模様を形成することができる。
又、請求項２のコンクリート壁の化粧装置は、目印で、次の模様を形成する区画に移動させることができる。
又、請求項３のコンクリート壁の化粧装置は、支持具で枠体を支持できるので、壁の端部で模様を形成することができる。
【発明を実施するための最良の形態】
【０００７】
本願発明を図を参照して説明する。図１は、壁の前面に取り付けたコンクリート壁の化粧装置１である。
本願の化粧装置１は、壁１０に予めモルタルを塗り、そのモルタルが柔らかい間に、模様を作成するために、押印具４０を、順次移動しながら壁（モルタル）に押し付けることによって、モルタルの上に模様を作成するものである。
【０００８】
化粧装置１の構造について説明すると、枠体２は鋼材を用いて、縦部材２ａと横部材２ｂで略長方体に形成されている。
この枠体２の頂部には張出材３が取り付けてあり、この張出材３には壁１０の頂部１０ａに載置可能に複数個の上車輪５が取り付けてあると共に、ネジ式で、壁の頂部１０ａで支持する支持具６が、前記上車輪５より枠体２の中心側に取り付けてある。
尚、この支持具６が取り付けてあるのは、特に、できるだけ壁１０の左右端部で押印具４０を用いて模様を形成するために、上車輪５で支持が不可になったとき、支持具６で支持するものである。
【０００９】
即ち、壁１０の端部では、片方の上車輪５で枠体２が支持できない状態になるので、支持具６で支持することによって、できるだけ壁１０の左右端部での作業を可能にする。
又、前記枠体２の下端部には、壁１０の前面に当接し、化粧装置１の左右移動を円滑に誘導するための下車輪８が、適宜の間隔で取り付けてある。
前記上車輪５と下車輪８とで、化粧装置１は壁１０に沿って移動が可能である横行手段を構成する。
【００１０】
前記枠体２の中央には、略直方体状の基台１５が昇降可能に取り付けてある一方、前記枠体２の縦部材２ａにはガード体（図示略）が取り付けてある。そして、前記基台１５の両側には、前記ガード体内を走行するガイド車輪（図示略）が取り付けてあり、昇降する基台１５はガイド車輪によって円滑な昇降をする。
又、枠体２の頂部の中央と端部には巻ローラ９ａ、９ｂが取り付けてあり、ワイヤ１１の端部は前記基台１５に取り付けてある。一方、前記ワイヤ１１の他端部は、前記巻ローラ９ａ、９ｂを介して逆回転防止のノッチ付きのウインチ１８のドラム１８ａで巻き取られる。
従って、基台１５は最下位置からウインチ１８の正回転によって、順次上昇し、前記ノッチを外して、ウインチ１８の逆回転によって下降する。
尚、前記ワイヤ１１には、後記で詳述する、押印具４０で壁に模様を附す１区画毎の移動量が判る目印（ペンキ等）がしてある。
【００１１】
前記基台１５内の中央には、上ガード体２２ａと下ガード体２２ｂが、取り付けてあり、上ガード体２２ａは逆Ｕ字状に、下ガード体２２ｂはＵ字状に取り付けてある。
押印具４０は、略直方形状の部材で構成の押印枠体４１と、板状で特定の大きさの模様体４２と、コ字状の取っ手４３で構成されていて、押印枠体４１の前面には模様体４２が取り付けてあり、反対の後ろ側には取っ手４３が取り付けてある。
又、前記押印枠体４１の上下部には、上車輪４４ａと下車輪４４ｂが前後一対取り付けてあり、これらの車輪４４ａ、４４ｂは前記上ガード体２２ａと下ガード体２２ｂに収納されて、ガイドされて前後動が可能になっている。
尚、前記模様体４２の前面には、壁に描く凹凸模様が描かれてあり、柔らかいモルタル壁に押圧すると凸凹の模様が、１区画、形成される。
【００１２】
次に、前記化粧装置１の取り扱いについて説明する。
化粧装置１の上車輪５を壁１０の頂部に載置すると、下車輪８は壁１０に当接する。又、押印枠体４１の下部に付設の車輪４４ｂを上ガード体２２ａと下ガード体２２ｂに装着する。
そして、化粧装置１を壁１０に沿って、模様を作成する位置に移動させる。そして、ウインチ１８を回転させて、模様を形成する位置に押印枠体４１をセットする。
そして、取っ手４３をもって、押印具４０を壁１０に向かって押圧すると、模様体４２によって、柔らかい状態のモルタルに模様が形成される。
【００１３】
次に、基台（模様体４２）の位置を変えて、即ち、１区画（模様体４２で模様を形成する面積）分、下又は上方向にウインチ１８で変更し、その後、押印具４０を壁１０に向かって押圧すると、模様体４２によって、柔らかい状態のモルタルに模様が形成される。
以上のように、化粧装置１を壁１０に沿って、順次移動させ、且つ、押印具４０を昇降させて、押印具４０を壁１０に向かって押圧すると、柔らかい状態のモルタルに、模様体４２によって模様を形成し、壁一面に模様を形成することができる。
【００１４】
尚、前記ワイヤ１１に目印が付してあると、その目印によって、押印枠体４１の位置を変えるのが容易である。
【図面の簡単な説明】
【００１５】
【図１】化粧装置の全体図である。
【符号の説明】
【００１６】
２  枠体
５  上車輪
６  支持具
８  下車輪
１０  壁
１１  ワイヤ
１５  基台
１８  ウインチ
４０  押印具
４１  押印枠体
４２  模様体
【図１】
2009068211.tif 000003